(57)【要約】 【課題】部材点数が少なくてすむとともに、製作が容易であり、水の流れを阻害することなく、かつ衛生的で、小動物が容易に脱出可能なＵ形側溝およびそのＵ形側溝の施行方法を提供する。【解決手段】Ｕ形側溝１を、互いに対向する一方の側壁部１Ａと他方の側壁部１Ｂとこれらの側壁部１Ａ，１Ｂの一端部同士を結合する底面部１Ｃとを有して断面略Ｕ形に形成する。そして、一方の側壁部１Ａは垂直に対して外側にα°の傾斜角度で形成されており、その内面に、小動物が脱出可能となった脱出部２を設ける。この脱出部２は、階段状の段差部３で形成されている。【選択図】  図１
2005282210.tif 000002
【特許請求の範囲】
【請求項１】
互いに対向する一方の側壁部および他方の側壁部と、これらの側壁部の一端部同士を結合する底面部とを有して断面略Ｕ形に形成されるとともに、道路端に埋設されるＵ形側溝であって、
少なくとも前記一方の側壁部の内面に小動物が脱出可能となった脱出部が設けられていることを特徴とするＵ形側溝。
【請求項２】
請求項１に記載のＵ形側溝において、
前記脱出部が階段状の段差に形成されていることを特徴とするＵ形側溝。
【請求項３】
請求項１または請求項２に記載のＵ形側溝において、
前記一方の側壁部が前記他方の側壁部の傾斜より緩やかな傾斜に形成されていることを特徴とするＵ形側溝。
【請求項４】
請求項１ないし請求項３のいずれかに記載のＵ形側溝において、
前記一方の側壁部の長さ方向両端部には当該一方の側壁部と直行する所定厚さの壁部が前記他方の側壁に向かって設けられ、この壁部の延端部は、前記他方の側壁部の傾斜とほぼ同一角度の傾斜で前記底面部に向かって狭くなっていることを特徴とするＵ形側溝。
【請求項５】
請求項４に記載のＵ形側溝を埋設するＵ形側溝の施行方法であって、
前記壁部および脱出部が形成されたＵ形側溝を少なくとも１個埋設し、このＵ形側溝の各壁部に、前記壁部および脱出部が形成されていない標準のＵ形側溝の長手方向端部をそれぞれ押し当てて埋設することを特徴とするＵ形側溝の施行方法。
【発明の詳細な説明】
【技術分野】
【０００１】
本発明は、道路・宅地・農地・山林などの排水路又は用水路に用いられるもので、落下した小動物が脱出できるようにしたＵ形側溝およびそのＵ形側溝の施行方法に関する。
【背景技術】
【０００２】
従来、道路・宅地・農地・山林などの排水路又は用水路として、図８に示すような、例えば鉄筋コンクリート製のＵ形側溝２０が用いられている。このＵ形側溝２０は、互いに対向する一方の側壁部２０Ａと、他方の側壁部２０Ｂと、これらの側壁部２０Ａ，２０Ｂの一端部同士を結合する底面部２０Ｃとを有し、断面略Ｕ字状に形成されている。また、Ｕ形側溝２０の幅寸法Ｗ、深さ寸法Ｄ、および紙面直交方向の長さ寸法は、ＪＩＳ規格等で決められている。そして、このようなＵ形側溝２０は、側壁部２０Ａ，２０Ｂが垂直に近い角度で立ち上がっており、また、その壁面がコンクリートの滑らかな面に仕上げられている。
【０００３】
そのため、Ｕ形側溝２０に、ねずみや蛙、沢蟹、亀等の小動物が落下すると、Ｕ形側溝２０から脱出できずに、終には餓死や水死することが多く、生態系や環境に悪影響を及ぼしていた。深さ寸法Ｄが１ｍに近い大きさのＵ形側溝２０の場合は、子犬や子猫、小猿、兎等も脱出が困難である。絶滅危惧種や天然記念物の小動物がＵ形側溝２０内に落ちて死んでいた、という記事も新聞等で見かけられ、その対策が講じられている。
小動物が脱出できるようにしたＵ形側溝として、側溝部材の溝内に、底部から上部に至る脱出用斜面部材を設け、この脱出用斜面部材の下方に、当該脱出用斜面部材を設けたことで阻害される水流を迂回させるためのバイパスを設けた構造のＵ形側溝が知られている（例えば、特許文献１参照）。
【０００４】
【特許文献１】特開２００３−１６０９６８号公報
【発明の開示】
【発明が解決しようとする課題】
【０００５】
しかし、特許文献１のＵ形側溝では、脱出用斜面部材を側溝とは別部材として製作し、後で溝内の所定位置に設置する場合、部材点数が多くなるとともに、所定位置に固定させるために多くの手間がかかるという課題がある。脱出用斜面部材を側溝と一体的に製作する場合、その脱出用斜面部材の下方に、底部から深くなってバイパスを形成することになるため、形状が複雑となって、製作が非常に困難である。
また、底部に形成されたバイパスへの水路に透水蓋が設けられているため、この透水蓋に落葉や泥等が溜まりやすく、バイパスへの水の流れをストップしてしまう。そして、ストップされた水は脱出用斜面部材に沿って上昇し、側溝の外部に流れ出し、その結果、側溝としての役割が果たされなくなるという課題もある。
さらに、バイパスは、底部より深く窪んで形成されているので、流入しない水や泥が常に溜まっており、ボウフラ等が発生しやすくて臭い匂いもして、非衛生的であるという課題もある。
【０００６】
本発明の目的は、部材点数が少なくてすむとともに、製作が容易であり、水の流れを阻害することなく、かつ衛生的で、小動物が容易に脱出可能なＵ形側溝およびそのＵ形側溝の施行方法を提供することである。
【課題を解決するための手段】
【０００７】
本発明のＵ形側溝は、互いに対向する一方の側壁部および他方の側壁部と、これらの側壁の一端部同士を結合する底面部とを有して断面略Ｕ形に形成されるとともに、道路端に埋設されるＵ形側溝であって、少なくとも一方の側壁部の内面に小動物が脱出可能となった脱出部が設けられていることを特徴とする。
【０００８】
この発明によれば、Ｕ形側溝を構成する一方の側壁部の内面に脱出部を設けたので、脱出用に別部材を製作しなくてよく、部材点数が少なくてすむ。また、脱出部を一方の側壁部の内面に設けたので、製作が容易であり、水の流れを阻害することもない。その結果、側溝内に水が溜まったりすることがなくなり、衛生的なＵ形側溝とすることができる。さらに、一方の側壁部の内面に脱出部を設けたので、溝内に落ちた小動物が脱出部から容易に脱出できる。
【０００９】
本発明では、請求項１に記載のＵ形側溝において、前記脱出部が階段状の段差に形成されている構成が好ましい。
この発明では、一段一段登って行けるので、小動物でも脱出が容易となる。
【００１０】
本発明では、請求項１または請求項２に記載のＵ形側溝において、前記一方の側壁部が前記他方の側壁部の傾斜より緩やかな傾斜に形成されている構成が好ましい。
この発明では、緩やかな傾斜の側壁部となっているので、垂直に近い側壁部からの脱出に比べて、小動物でも脱出が容易となる。また、緩やかな傾斜の側壁部に階段状の段差が形成されているので、より一層登りやすくなって、より一層脱出が容易となる。
【００１１】
本発明では、請求項１ないし請求項３のいずれかに記載のＵ形側溝において、前記一方の側壁部の長さ方向両端部には当該一方の側壁部と直行する所定厚さの壁部が前記他方の側壁に向かって設けられるとともに、この壁部の延端部は、前記他方の側壁部の傾斜とほぼ同一角度の傾斜で前記底面部に向かって狭くなっている構成が好ましい。
【００１２】
この発明では、一方の側壁部の両端部に設けられた壁部の延端部が、他方の側壁部の傾斜とほぼ同一角度の傾斜となっているので、規格で決められた標準仕様のＵ形側溝の長手方向端部を壁部に当接することで、標準仕様のＵ形側溝と接続することができる。従って、既設の標準仕様のＵ形側溝を連続させてある場合でも、任意のものを取り外して、これに替えて壁部のあるＵ形側溝を配置し、標準仕様のＵ形側溝に接続させることができる。
その結果、全部を交換しなくても、落ちた小動物が脱出可能な側溝に改造することができるので、工期も短縮でき、コストも安く上げることができる。
【００１３】
本発明のＵ形側溝の施行方法は、請求項４に記載のＵ形側溝を埋設するＵ形側溝の施行方法であって、前記壁部および脱出部が形成されたＵ形側溝を少なくとも１個埋設し、このＵ形側溝の各壁部に、前記壁部および脱出部が形成されていない標準のＵ形側溝の長手方向端部をそれぞれ押し当てて埋設することを特徴とする。
この発明では、壁部および脱出部が形成されたＵ形側溝は、標準のＵ形側溝に比べてわずかに使用材料が多いが、すべてに壁部および脱出部が形成されたＵ形側溝を使用しなくてもよいので、材料の節約ができ、その分、全体の工費を抑えることができる。
【発明を実施するための最良の形態】
【００１４】
以下、本発明のＵ形側溝の実施形態を図面に基づいて説明する。
図１〜図４には、第１実施形態のＵ形側溝１が示されている。
図１，２に示すように、Ｕ形側溝１は、例えば、鉄筋コンクリートで形成されており、互いに対向する一方の側壁部１Ａと、他方の側壁部１Ｂと、これらの側壁部１Ａ，１Ｂの一端部同士を結合する底面部１Ｃとを有し、断面略Ｕ字状に形成されている。そして、Ｕ形側溝１の内部が流路Ｂとなっている。
【００１５】
Ｕ形側溝１は、幅寸法Ｗ１、深さ寸法Ｄ、長さ寸法Ｌとなっている。一方の側壁部１Ａは、底面部１Ｃの内面一端からα°、例えば、ほぼ１５°の傾斜で上方にいくに従って広くなる傾斜角度で形成されており、その結果、一方の側壁部１Ａと他方の側壁部１Ｂとの間の幅寸法Ｗ１は、前記図８で示した標準仕様のＵ形側溝１の幅寸法Ｗより所定寸法大きな寸法となっている。
なお、一方の側壁部１Ａの傾斜角度は、前記１５°の傾斜に限らず、Ｕ形側溝１の大きさに応じて１５°以上、あるいは１５°以下に設定してもよい。
【００１６】
Ｕ形側溝１における一方の側壁部１Ａの内面には、小動物が脱出可能となった脱出部２が形成されている。この脱出部２は、傾斜状の側壁部１Ａに沿って階段状となった複数の段差部３で形成されている。この段差部３は、Ｕ形側溝１の大きさによっても異なるが、３〜１０段の段差に形成されることが好ましい。深さＤが例えば３０ｃｍのＵ形側溝である場合、最上段を含めて６段とすれば、１段の高さが５ｃｍとなるので、ねずみ等は容易に登ることができる寸法である。
また、段差部３は、図３に示すように、水平部３Ａと垂直部３Ｂとで形成され、水平部３Ａには、Ｕ形側溝１の長手方向に沿った横溝状の滑り止め部３Ｃが形成されている。
【００１７】
以上のようなＵ形側溝１は、図４に示すように施工されている。
すなわち、それぞれ階段状の段差部３を有する脱出部２が形成された多数のＵ形側溝１を、道路５０と隣地５１との境界部に、ほぼ直線状に連続して設置する。この際、各Ｕ形側溝１の脱出部２を連続させるとともに、脱出部２が隣地側に向くように配置する。
【００１８】
以上のような第１実施形態によれば、次のような効果が得られる。
（１）Ｕ形側溝１を構成する一方の側壁部１Ａの内面に脱出部２を設けたので、脱出用に別部材を製作しなくてよく、部材点数が少なくてすむ。
【００１９】
（２）脱出部２が階段状の段差部３で形成され、段差部３は、水の流れ方向に沿った水平部３Ａと垂直部３Ｂとで形成されているので、製作が容易であるとともに、水の流れを阻害することもない。その結果、側溝内に水が溜まったりすることがなくなり、衛生的なＵ形側溝１とすることができる。
【００２０】
（３）一方の側壁部１Ａが緩やかな傾斜となっており、この側壁部１Ａの内面に階段状の段差部３からなる脱出部２が設けられているので、溝内に落ちた小動物が一段一段登りやすくなり、その結果、小動物でも脱出が容易となる。
【００２１】
（４）Ｕ形側溝１を多数連続して埋設する際、それぞれのＵ形側溝１の脱出部２が隣地５１側に向けて配置されているので、溝内に落ちた小動物が外部に脱出したとき、道路５０側に飛び出すおそれが少なくなり、その結果、車等に轢かれて死亡するおそれも少なくなる。
【００２２】
次に、図５〜図７に基づいて、本発明の第２実施形態を説明する。
本実施形態において、前記第１実施形態と同一構成部材には、同一符号を付すとともに、その詳細な説明は省略または簡略化する。
【００２３】
図５，６に示すように、本実施形態のＵ形側溝１Ａは、例えば、鉄筋コンクリートで形成されており、互いに対向する一方の側壁部１０Ａと、他方の側壁部１０Ｂと、これらの側壁部１０Ａ，１０Ｂの一端部同士を結合する底面部１０Ｃとを有し、断面略Ｕ字状に形成されている。そして、Ｕ形側溝１Ａの内部が流路Ｂとなっている。
【００２４】
一方の側壁部１０Ａの長さ方向両端部には、当該一方の側壁部１０Ａと直行する所定厚さの壁部１０Ｄ，１０Ｅが他方の側壁部１０Ｂに向かって設けられている。これらの壁部１０Ｄ，１０Ｅの延端部は、他方の側壁部１０Ｂの傾斜とほぼ同一角度の傾斜で底面部１０Ｃに向かって狭くなっている。つまり、壁部１０Ｄ，１０Ｅの延端部の端面１０Ｅは、他方の側壁部１０Ｂとともに略Ｕ字を形成するＵ字形成面となっており、また、端面１０Ｅと他方の側壁部１０Ｂとの幅寸法Ｗは、前記標準のＵ形側溝２０の幅寸法Ｗとほぼ同じである。
【００２５】
以上のようなＵ形側溝１Ａは、図７に示すように施行される。
すなわち、壁部１０Ｄを有し、かつ階段状の段差部３を有する脱出部２が形成されたＵ形側溝１０と、前記標準仕様のＵ形側溝２０とを、道路と隣地との境界部に、ほぼ直線状に連続して設置して、側溝３０が完成される。
この際、１つのＵ形側溝１０を挟んで２つのＵ形側溝２０を配置し、このような配列で、ほぼ直線状に連続配置する。また、各Ｕ形側溝１０の脱出部２を隣地側に向けて配置する。
【００２６】
このような本第２実施形態によれば、前記第１実施形態の（１）〜（４）とほぼ同様の効果の他、次のような効果が得られる。
（５）一方の側壁部１０Ａの両端部に設けられた壁部１０Ｄ，１０Ｅの延端部が、他方の側壁部１０Ｂの傾斜とほぼ同一角度の傾斜となっており、壁部１０Ｄ，１０Ｅの延端部の端面１０Ｅが、他方の側壁部１０Ｂとともに略Ｕ字を形成しているので、標準仕様のＵ形側溝２０の長手方向端部を壁部１０Ｄ，１０Ｅに当接することで、標準仕様のＵ形側溝２０と接続することができる。従って、既設の標準仕様のＵ形側溝２０を連続させてある場合でも、任意のものを取り外して、これに替えて壁部１０Ｄ，１０ＥのあるＵ形側溝１０を配置し、標準仕様のＵ形側溝２０に連続させることができる。その結果、全部を交換しなくても、落ちた小動物が脱出可能な側溝に改造することができるので、工期も短縮でき、コストも安く上げることができる。
【００２７】
（６）壁部１０Ｄ，１０Ｅおよび脱出部２が形成されたＵ形側溝１０は、標準のＵ形側溝２０に比べてわずかに使用材料が多いが、Ｕ形側溝１０を挟んで２個のＵ形側溝２０が配置されており、すべてにＵ形側溝１０を使用しなくてもよいので、材料の節約ができ、その分、全体の工費を抑えることができる。
【００２８】
なお、本発明は前述の各実施形態に限定されるものではなく、本発明の目的を達成できる範囲での変形、改良等は本発明に含まれるものである。
例えば、前記各実施形態では、階段状の段差部３の水平部３Ａに横溝状の滑り止め部３Ｃを形成したが、この滑り止め部３Ｃは必ずしも設けなくてもよい。
【００２９】
また、前記第２実施形態では、壁部１０Ｄ，１０Ｅおよび脱出部２が形成された１個のＵ形側溝１０を挟んで、２個の標準のＵ形側溝２０が配置されているが、各Ｕ形側溝１０，２０の配置は、これに限らない。例えば、Ｕ形側溝１０を２個あるいはそれ以上、Ｕ形側溝２０を３個あるいはそれ以上配置してもよく、また、各Ｕ形側溝１０，２０を交互に配置してもよい。
【００３０】
さらに、前記各実施形態では、脱出部２を階段状の段差部３で形成したが、脱出部２の形状はこれに限らない。例えば、傾斜した一方の側壁部１Ａ，１０Ａに突起部を飛び石状に配置して脱出部を形成してもよい。
【００３１】
また、前記各実施形態では、一方の側壁部１Ａ，１０Ａの内面に小動物が脱出可能な脱出部２を設けたが、これに限らず、脱出部２を、一方の側壁部１Ａ，１０Ａおよび他方の側壁部１Ｂ，１０Ｂにも設けてもよい。
【産業上の利用可能性】
【００３２】
本発明は、道路・宅地・農地・山林などの排水路又は用水路用として利用することができる。
【図面の簡単な説明】
【００３３】
【図１】本発明に係るＵ形側溝の第１実施形態を示す全体斜視図。
【図２】図１におけるII矢視図。
【図３】前記実施形態の段差部を表す部分詳細図。
【図４】前記実施形態のＵ形側溝の施行状態を示す全体斜視図。
【図５】本発明に係るＵ形側溝の第２実施形態を示す全体斜視図。
【図６】図５におけるVI−VI線に沿った断面図。
【図７】前記実施形態のＵ形側溝の施行状態を示す全体斜視図。
【図８】一般的な標準仕様のＵ形側溝を示す全体正面図。
【符号の説明】
【００３４】
１，１０・・・Ｕ形側溝
１Ａ，１０Ａ・・・一方の側壁部
１Ｂ，１０Ｂ・・・他方の側壁部
１Ｃ，１０Ｃ・・・底面部
２・・・脱出部
３・・・段差部
１０Ｄ・・・壁部
１０Ｅ・・・Ｕ字形成面
α°・・・傾斜角度
【図１】
2005282210.tif 000003
【図２】
2005282210.tif 000004
【図３】
2005282210.tif 000005
【図４】
2005282210.tif 000006
【図５】
2005282210.tif 000007
【図６】
2005282210.tif 000008
【図７】
2005282210.tif 000009
【図８】
2005282210.tif 000010